(57)【要約】【課題】  建物外周部のブレースの配置を無くせ、または削減できて、必要採光を確保し易くした両方向ブレース構造の鉄骨造居住用途建物を提供する。【解決手段】  ブレース２１を用いた鉄骨造でありかつ中廊下３の両側に居室４を有する間取りの鉄骨造居住用途建物１に適用する。建物１の基準階の一部または全ての前記ブレース２１を、中廊下３と居室４との間に配置する。中廊下３に沿う鉄骨梁の１スパンの間に、中廊下３に沿って並ぶ２部屋の居室４，４を有する。ブレース２１は、２本が互いにハの字形に配置する。前記２部屋の居室４，４の中廊下３に対する各居室開口部１６を互いに並べて、前記ハの字形に配置された２本のブレース２１，２１とその間の鉄骨梁部分２３の下方に配置する。【選択図】        図３
2015168993.tif 000002
【特許請求の範囲】
【請求項１】
両方向ブレース構造を有する２階建以上の鉄骨造であり、かつ２階以上の各階部分が、中廊下の両側に居室を有する間取りの鉄骨造居住用途建物において、
前記２階以上の各階部分では、前記中廊下と居室との間にブレースを配置し、１階部分ではブレースを建物の外周部に配置したことを特徴とする両方向ブレース構造の鉄骨造居住用途建物。
【請求項２】
請求項１に記載の両方向ブレース構造の鉄骨造居住用途建物において、前記中廊下に沿う鉄骨梁の１スパンの間に、前記中廊下に沿って並ぶ２部屋の居室を有し、前記両方向ブレースは、互いにハの字形に配置されてそれぞれ下端が前記１スパンの間隔を開けて並ぶ２本の各柱の床側の梁接合部付近に接合され、かつ上端が天井側の梁の中間に接合され、前記２部屋の居室の前記中廊下に対する各居室開口部を互いに並べて、前記ハの字形に配置された２本の両方向ブレースとこれら両方向ブレースの上端間の鉄骨梁部分の下方に配置した両方向ブレース構造の鉄骨造居住用途建物。
【請求項３】
請求項１または請求項２に記載の両方向ブレース構造の鉄骨造居住用途建物において、前記２階以上の各階部分では、１方向のブレースを前記中廊下と居室との間に配置し、前記１方向と直交する方向のブレースを、前記中廊下に沿って並ぶ各居室間の壁内に配置した両方向ブレース構造の鉄骨造居住用途建物。
【発明の詳細な説明】
【技術分野】
【０００１】
この発明は、中廊下の両側に別所帯用等の居室を有する間取りの建物、例えばサービス付き高齢者向け住宅において、両方向ブレース構造とした鉄骨造居住用途建物に関する。
【背景技術】
【０００２】
従来、鉄骨造居住用途建物には、プランの自由度を優先するために両方向ラーメン構造もしくは片方向ラーメン・片方向ブレース構造を採用することが多かった。しかし、コスト削減の目的で鉄骨重量を下げるために、両方向ブレース構造を採用した例もあった。しかし、両方向ブレース構造を採用した鉄骨造居住用途建物においては、プランの制約等から主に建物外周部で桁方向と妻方向の両方向にブレースを配置し、両方向ブレース構造として実現させる提案が多かった。
ブレースを配置できる部分の開口部は、ブレースをかわすことの出来る配置に限られており、例えば図９に示すように、ハの字形に配置した２本のブレース５１，５１間の下部中央に１箇所の開口部５２を設けるという構成に限られていた。
【０００３】
建物内部にブレースを配置した例としては、Ｉ形に住戸を並べた集合住宅において、桁行方向の梁をＲＣ構造とし、界壁に位置する妻方向の梁に鉄骨梁とブレースを配置するＲＣ造と鉄骨造併用の建物（例えば、特許文献１）があるが、このような限られた例しかない。
【先行技術文献】
【特許文献】
【０００４】
【特許文献１】特開２０１２−２０７４０３号公報
【発明の概要】
【発明が解決しようとする課題】
【０００５】
従来の建物外周部にブレースを配置した両方向ブレース構造の建物では、ブレースが配置されることによる採光面の制限がある。建物内部にブレースを配置する場合は、内部プランの検討項目が増加するため、実現が難しい。また、鉄骨造居住用途建物では、両方向ブレース構造の適用範囲が３階建・４階建に及んでおらず、コスト低下が図れていない。
【０００６】
この発明は、上記課題を解消するものであり、建物外周部のブレースの配置を無くせ、または削減できて、必要採光を確保し易くし、かつ各階の用途に応じた内部プランの自由度を高めることができる両方向ブレース構造の鉄骨造居住用途建物を提供することを目的とする。
この発明の他の目的は、建物内部にブレースを配置しながら、構造上のバランスが良く、かつ部屋数を確保し易くすることである。
この発明のさらに他の目的は、必要採光を確保し易くしながら、両方向のブレースとも、納まりを良くすることである。
【課題を解決するための手段】
【０００７】
この発明の両方向ブレース構造の鉄骨造居住用途建物は、両方向ブレース構造を有する２階建以上の鉄骨造であり、かつ２階以上の各階部分が、中廊下の両側に居室を有する間取りの鉄骨造居住用途建物において、前記２階以上の各階部分では、前記中廊下と居室との間にブレースを配置し、１階部分ではブレースを建物の外周部に配置したことを特徴とする。前記中廊下は、建物の内部の配置される廊下である。
【０００８】
この構成によると、２階以上の各階部分では、ブレースを中廊下と居室との間に配置したため、建物外周部のブレースを削減できる。そのため、建物外周部においてブレースによって開口が制限されることがなく、建物外周部からの必要採光が得易くなる。例えば、建物の桁方向に沿う各ブレースは中廊下と居室間に全て配置し、建物の桁方向に沿う外周部にはブレースを配置しない構成とすることで、各居室に窓を自由に設けることができて、必要採光が得易くなる。
また、２階以上の各階部分では前記ブレースを前記中廊下と居室との間に配置するが、１階部分では前記両方向ブレースは建物の外周部に配置するため、次の利点が得られる。例えば、サービス付き高齢者向け住宅では、１階部分に事務所機能等を設け、２階以上の部分を居室とする構成が多い。このため、１階部分では従来どおり外周部にブレースを配置した方が、建物内部にブレースを配置するよりも内部プランの自由度が高い。２階以上の各階は複数の居室が並んで配置されるため、この発明における、建物外周部にブレースを設けることが不要化または削減できて、必要採光をし易くする効果が、効果的に発揮される。
【０００９】
この発明において、前記中廊下に沿う鉄骨梁の１スパンの間に、前記中廊下に沿って並ぶ２部屋の居室を有し、前記ブレースは、互いにハの字形に配置されてそれぞれ下端が前記１スパンの間隔を開けて並ぶ２本の各柱の床側の梁接合部付近に接合され、かつ上端が天井側の梁の中間に接合され、前記２部屋の居室の前記中廊下に対する各居室開口部を互いに並べて、前記ハの字形に配置された２本のブレースとこれらブレースの上端間の鉄骨梁部分の下方に配置しても良い。
この構成の場合、鉄骨梁の１スパンの間に２本のブレースを互いにハの字形に配置したため、構造上のバランスが優れたものとなる。また、前記ハの字形に配置された２本のブレースとその間の鉄骨梁部分の下方に、２部屋の居室の前記中廊下に対する各居室開口部を互いに並べて配置したため、部屋数を確保し易い。
この場合に、前記２部屋の居室を居室ユニットとして、両方向ブレースの１セット（２本）に対して２部屋を確保し、プランを予め定義することで、プランニングがより簡単になる。
【００１０】
この発明において、前記２階以上の各階部分では、１方向のブレースを前記中廊下と居室との間に配置し、前記１方向と直交する方向のブレースを、前記中廊下に沿って並ぶ各居室間の壁内に配置しても良い。
中廊下に沿う方向のブレースは中廊下と居室との間に配置し、中廊下と直交する方向のブレースは、隣合う居室間の壁内に配置することにより、必要採光を確保し易くしながら、両方向のブレースとも、納まりが良くなる。
【発明の効果】
【００１１】
この発明の両方向ブレース構造の鉄骨造居住用途建物は、両方向ブレース構造を有する２階建以上の鉄骨造であり、かつ２階以上の各階部分が、中廊下の両側に居室を有する間取りの鉄骨造居住用途建物において、前記２階以上の各階部分では、前記中廊下と居室との間にブレースを配置し、１階部分ではブレースを建物の外周部に配置したため、建物外周部のブレースの配置を無くし、または削減できて、必要採光を確保し易くできる。また、各階の用途に応じた内部プランの自由度を高めることができる
ブレースをハの字形に配置し、その下に２部屋の居室の中廊下に対する各居室開口部を互いに並べて設けた場合は、建物内部にブレースを配置しながら、構造上のバランスが良く、かつ部屋数を確保し易くできる。
前記２階以上の各階部分では、１方向のブレースを前記中廊下と居室との間に配置し、前記１方向と直交する方向のブレースを、前記中廊下に沿って並ぶ各居室間の壁内に配置した場合は、必要採光を確保し易くしながら、両方向のブレースとも、納まりを良くすることができる。
【図面の簡単な説明】
【００１２】
【図１】この発明の一実施形態に係る両方向ブレース構造の鉄骨造居住用途建物の２階部分の内部プラン図である。
【図２】同鉄骨造居住用途建物の１階部分の内部プラン図である。
【図３】図２の内部プラン図の部分拡大図である。
【図４】図３の建物部分の拡大垂直断面図である。
【図５】同建物部分の断面位置を左右半分ずつ変えた拡大垂直断面図である。
【図６】図３の内部プラン図の一部をさらに拡大した部分拡大図である。
【図７】この発明の他の実施形態に係る両方向ブレース構造の鉄骨造居住用途建物の２階部分の内部プラン図である。
【図８】同鉄骨造居住用途建物の１階部分の内部プラン図である。
【図９】提案例に係る建物の居室開口部の配置例を示す垂直断面図である。
【発明を実施するための形態】
【００１３】
この発明の第１の実施形態を図１ないし図６と共に説明する。図１は、この両方向ブレース構造の鉄骨造居住用途建物１（以下、単に「建物１」と略称する場合がある）を、サービス付き高齢者向け住宅に適用した例であり、その基準階部分である２階部分Ｆ２の内部プランを示す。建物１は３〜４階建で等の低層建物であり、３階以上の部分は基準階部分（２階部分Ｆ２）と同じプランである。
【００１４】
２階部分Ｆ２は、桁方向に延びる中廊下３の両側に居室４を配列したＩ字型プランとされている。中廊下３の長手方向の中間の片方に隣接したエレベータシャフト５が設けられ、エレベータシャフト５の両側に、中廊下３に続くエレベータホール６および上下階への階段７が設けられている。中廊下３の１端に、非常階段となる屋外階段１５への出入り口が設けられている。
【００１５】
図２に示すように、建物１の１階部分Ｆ１には、玄関ホール８、食堂または多目的室となる共用室９Ａ，９Ｂ、事務所１０等が設けられている。
【００１６】
図１において、各居室４は個々の居住者に割り当てられる全空間であり、隣合う２部屋の居室４，４ずつが、図３に拡大して示すように、互いに内部配置が左右対称となった居室ユニット４Ａを構成する。各居室４は、中廊下３に面して入口廊下１３があり、入口廊下１３の屋側に寝室１５が、入口廊下１３の横側に便所１４が設けられている。居室ユニット４Ａを構成する２つの居室４，４の入口廊下１３は、互いに壁１９を介して隣合っており、中廊下３に対する出入り口となる居室開口部１６が設けられている。寝室１４の奥側は外壁１７となり、外壁１７の窓１８が設けられている。２つの居室４，４間の壁１９は、この例では間仕切り壁であるが、各居室４を１戸の住戸とする場合は、壁１９は界壁とされる。
【００１７】
図６は、図３における居室ユニット４Ａにおける入口廊下１３および便所１４の部分を拡大して示す。便所１４と中廊下３との間にパイプスペース２０が設けられ、またパイプスペース２０と中廊下３とを仕切る壁に、ブレース２１が設けられている。
【００１８】
図４は、建物１の鉄骨における、２階部分の前記居室ユニット４Ａにおける居室４と中廊下３との境界部分を示す。中廊下３に沿って前記境界部分に鉄骨柱２２が建てられ、隣合う鉄骨柱２２の各階部分の上端が、鉄骨の梁２３で接合されている。鉄骨柱２２は角形鋼管等からなり、鉄骨梁２３はＨ形鋼等からなる。鉄骨梁２３の上に、上階の床スラブ２４が載せられている。床スラブ２４は、図示の例ではデッキプレート上にコンクリートを設けた構成である。
【００１９】
柱２２は、前記各居室ユニット４Ａの幅の間隔で設置され、したがって鉄骨梁２３の１スパンの間に、中廊下３に沿う２部屋の居室４，４が配置されることになる。鉄骨梁２３の両端は、鉄骨柱２２から突出させたガセットプレート等の梁接合金物２５に、スプライスプレートと共にボルト接合されている。
【００２０】
前記ブレース２１は、圧縮および引張荷重を負担し、または引張荷重のみを負担する鉄骨製等の梁である。ブレース２１は、座屈拘束梁であっても良く、また座屈拘束機能を有しない梁であってもよい。ブレース２１の下端は、鉄骨柱２２の各階部分の下端にブレース接合金物２６を介してボルト接合されている。ブレース接合金物２６は、鉄骨柱２２に溶接で固定されている。ブレース２１の上端は、鉄骨梁２３のスパンの中間部分で、その下面にブレース接合金物２７を介してボルト接合されている。
【００２１】
前記ブレース２１は、鉄骨梁２３の１スパンの間に２本が互いにハの字形に配置され、このハの字形に配置された２本のブレース２１，２１と、これらブレース２１，２１の上端間の鉄骨梁部分の下方に、前記居室ユニット４Ａを構成する２つの居室４，４の前記中廊下３に対する前記居室開口部１６，１６が互いに並べて配置されている。
【００２２】
鉄骨梁２３は、天井材２８により下方が覆われる。図５に示すように、鉄骨梁２３を設けた部分の天井材２８は、寝室部分の天井材２９よりも若干下方に位置している。図５は左半分を鉄骨梁２３が見える位置で、右半分は鉄骨梁２３が見えないか位置で断面した図である。
【００２３】
図３に示すように、廊下３と直交する方向のブレース３１は、廊下３に沿って並ぶ居室４の間の壁１９のうちの一部の壁１９内に設けられている。例えば、居室ユニット間の壁１９内に設けられている。この直交する方向のブレース３１も、圧縮および引張荷重を負担する鉄骨製であっても、また引張荷重のみを負担する鉄骨製であっても良い。
【００２４】
図２において、建物１における１階部分Ｆ１では、ブレース２１（図２には図示せず）は、建物１の外周部に配置している。この建物外周に設置される両方向ブレースは、例えば図４の例と同様にハの字形に配置される。
なお、２階部分Ｆ２（図１）おいて、桁方向のブレース２１は中廊下３と居室４間に全て配置し、建物１の桁方向の外周部にはブレースを配置しない構成としているが、妻面の外壁には図４の例と同様にブレース２１が互いにハの字形に配置されている。
【００２５】
この構成の両方向ブレース構造の鉄骨造居住用途建物１によると、ブレース２１を中廊下３と居室４との間に配置したため、建物外周部にブレースを設けることが不要となる。そのため、建物外周部においてブレースによって開口が制限されることがなく、建物外周部からの必要採光が得易くなる。例えば、ブレース２１は中廊下３と居室４間に全て配置し、建物１の桁方向に沿う外周部にはブレースを配置しない構成とすることで、各居室４に窓を自由に設けことができ、必要採光が得易くなる。
【００２６】
また、図４に示すように、鉄骨梁２３の１スパンの間に２本のブレース２１を互いにハの字形に配置したため、構造上のバランスが優れたものとなる。また、前記ハの字形に配置された２本のブレース２１とその間の鉄骨梁２３との下方に、２部屋の居室４，４の前記中廊下３に対する各居室開口部１６を互いに並べて配置したため、部屋数を確保し易い。
この場合に、前記２部屋の居室４，４を居室ユニット４Ａとして、ブレース２１の１セット（２本）に対して２部屋を確保し、プランを予め定義することで、プランニングがより簡単になる。
【００２７】
１階部分Ｆ１（図２）では、前記ブレース２１（図１には図示せず）は建物１の内部に配置せずに外周部に配置しているが、そのため次の利点が得られる。サービス付き高齢者向け住宅では、１階部分Ｆ１に事務所機能等を設け、２階以上の部分を居室とする構成が多い。このため、１階部分Ｆ１では従来どおり外周部に両方向ブレースを配置した方が、建物１の内部にブレース２１を配置するよりも内部プランの自由度が高い。
【００２８】
なお、前記実施形態では、直線状の中廊下３の両側に居室を配列したＩ字型プランの建物１に適用した例を示したが、この発明は、図７，図８に示すように、Ｌ字形に折れ曲がった中廊下３の両側に居室を配列したＬ字型プランの建物１にも前記と同様に適用することができる。図７は基準階である２階部分２Ｆの内部プランを、図８は１階部分Ｆ１の内部プランそれぞれ示す。
両方向ブレース構造を採用し、ブレース２１を中廊下３と居室４との間に配置するという構成とすることで、結果的に、従来の片方向片方向ラーメン・片方向ブレース構造の採用例と比較して、鉄骨重量を削減することができる。Ｌ字型の建物１においては、桁方向および妻方向の両方向に居室４が交差するが、制約を受けることなく外部の開口および居室開口部を設けることができる。
図７，図８の実施形態におけるその他の構成，効果は、図１〜図６に示す第１の実施形態と同様である。
【符号の説明】
【００２９】
１…鉄骨造居住用途建物
３…中廊下
４…居室
４Ａ…居室ユニット
１４…便所
１６…居室開口部
２０…パイプスペース
２１…ブレース
２２…鉄骨柱
２３…鉄骨梁
２４…床スラブ
３１…ブレース
Ｆ１…１階部分
Ｆ２…２階部分
【図１】
2015168993.tif 000003
【図２】
2015168993.tif 000004
【図３】
2015168993.tif 000005
【図４】
2015168993.tif 000006
【図５】
2015168993.tif 000007
【図６】
2015168993.tif 000008
【図７】
2015168993.tif 000009
【図８】
2015168993.tif 000010
【図９】
2015168993.tif 000011